(57)【特許請求の範囲】
【請求項１】
略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、回転操作することにより該ロック機構のロック状態を解除し得る摘子を遊技盤上に突設してなることを特徴としたパチンコ機の遊技球入賞装置。
【請求項２】
略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、回転操作することにより該ロック機構のロック状態を解除し得る摘子を遊技盤上に突設し、該摘子を回転操作することでロック状態を解除する第１の動作と、入賞案内部材を前方に引く第２の動作とによって該入賞案内部材を傾倒せられるようにしたことを特徴とするパチンコ機の遊技球入賞装置。
【発明の詳細な説明】
【０００１】
【発明の属する技術分野】
本発明は、パチンコ機の遊技盤面上にて入賞案内部材が開閉動することで遊技球を捕捉する遊技球入賞装置の構造に関するものである。
【０００２】
【従来の技術】
パチンコ機の遊技球入賞装置には従来から種々の形態が知られているが、大入賞口はいわゆる大当たり時にソレノイドを作動させることによって横長板状の蓋（入賞案内部材）を開成させるように構成されたものである。
【０００３】
ところで、従来の上記大入賞口の構造では、入賞案内部材は、例えば針金のようなものをガラス枠内に差し込んで入賞案内部材を無理にこじ開けようとすると開いてしまうので、遊技球を不正に入賞させ賞球を得ようとする不正行為が行われることがあった。
【０００４】
【発明が解決しようとする課題】
本発明者等は、上記のような不正行為が未然に防止されるように、制動片を所定の関係位置に相対させることで該入賞案内部材を起立状態にロックするロック機構を設けた遊技球入賞装置を先に発明し特許出願した。
【０００５】
ところが、このようにロック機構を設けた場合、店員が本来の必要に応じて正当に前面ガラス板を開けて入賞案内部材を開けようとしてもソレノイドが作動しない限り開かないために、店員による正当な行為まで行いにくくするという問題がある。そこで、ピンを挿入し得る小孔を開設し、ガラス枠を開けて所定のピンを該小孔に挿入することで入賞案内部材が開くように構成することが考えられたが、そうすると不正な遊技者がこの小孔に針金を挿入することでも入賞案内部材が開いてしまうおそれがあった。
【０００６】
そこで本発明は、ガラス枠を開けることなく不正な遊技者が針金等を使って入賞案内部材を開けるような不正行為を殆ど不可能にし、なおかつ、入賞案内部材の正当な開放行為までもが行いにくくなることのないようにするものである。
【０００７】
【課題を解決するための手段】
そのために本発明は、略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、回転操作することにより該ロック機構のロック状態を解除し得る摘子を遊技盤上に突設してなることを特徴とする。
また本発明は、略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、回転操作することにより該ロック機構のロック状態を解除し得る摘子を遊技盤上に突設し、該摘子を回転操作することでロック状態を解除する第１の動作と、入賞案内部材を前方に引く第２の動作とによって該入賞案内部材を傾倒せられるようにしたことを特徴とする。
【０００８】
【発明の実施の形態】
次に図面に従い本発明の実施の形態を説明する。図１は本発明に係る遊技球入賞装置１が遊技盤２に設けられたパチンコ機の正面図、図２はこの遊技球入賞装置１の外観斜視図、図３はその縦断面図、図４は要部の斜視図、図５，図６は要部の分解斜視図である。図中、３は遊技盤２の前面に貼着される取付板、４は該取付板に開設された横長の大入賞口、５は該大入賞口の下縁部に回転軸６，６によって起立傾倒自在に支持された長方形蓋板状の入賞案内部材である。
【０００９】
該入賞案内部材５の背面下縁部両端には鍔部７ａ，７ｂが一体に形成され、その一方の鍔部７ａに横軸状の係合部８を一体的に形成している。
【００１０】
９はスピンドル１０が下側となるように鉛直に設けられたソレノイド、１１は該スピンドル１０の先端に固着され該ソレノイドの作動により上下に進退動するように設けられた制動片、１２は該スピンドル１０を下方に付勢する復帰用のコイルバネである。制動片１１はその前縁に一対の突起部１３，１４が略コ字状に形成されている。なお上方の突起部１３は下方の突起部１４よりも少し短く形成されその先端面１３ａを制動片１１の進退動方向と略平行面なるように形成している。なお、１５，１５は取付板３の前面に形成された普通入賞口、１６は遊技盤２の前面に遊技球流下空間１７を形成するべく張設された前面ガラス板である。
【００１１】
２０は下方の突起部１４と相対するように取付板３に開設した透孔、２１は該透孔に軸部２２を貫挿することにより遊技盤上に突設した摘子、２３は該軸部２２の先端に形成された角軸部２４を偏心位置に形成された角孔２５に嵌着することによって偏心状に固着された円柱状のカム体で、該カム体上に前記突起部１４が位置する。また、図６に示したように、２６は該カム体に突設されたストッパ、２７，２７は取付板３の背面に突設されたストッパで、該ストッパによって該摘子２０の回転範囲が約１８０度以下なるように制限している。また、２８は遊技球が摘子に当たるのを防ぐための遊技盤上に突設した半円筒状の庇体である。また、２９は摘子２１の回転方向を矢印にて示すために前端面に貼付されたシール紙である。
【００１２】
この遊技球入賞装置では、図３に示したように、ソレノイド９が消磁していてコイルバネ１２の弾性により制動片１１が下方にあるとき、上方の突起部１３の先端面１３ａが係合部８にその背後から相対することにより該係合部８の後方への旋回が阻止されることから、針金等を用いた不正手段により入賞案内部材５を開けようとしても該入賞案内部材は起立状態にてロックされ開けられない。そこで、ソレノイド９が励磁され制動片１１が上動すると下方の突起部１４にて係合部８が持ち上げられることから該入賞案内部材５が前傾し、遊技盤の遊技球流下空間に突出し遊技球を捕捉し得るようになる。また、ソレノイド９が消磁するとコイルバネ１２の弾性により制動片１１が下動することから上方の突起部１３によって係合部８が押し下げられ起立状態に復帰する。
【００１３】
そして、店員が「おまけ」等の正当な行為として入賞案内部材５を開けようとする場合には、所定の鍵を使ってガラス枠を開け、摘子２１を矢印方向に回転操作すると、カム体２３が最大１８０度回転し、該カム体が突起部１４を押し上げるので制動片１１が持ち上げられてロック状態が解除され図７に示したように入賞案内部材５を半開きにする。そこでこの半開き状態の入賞案内部材５に指（爪先）を掛けて前方に引くことにより、図８に示したように、該入賞案内部材５を開けることができる。
【００１４】
このように、この実施形態に示した入賞装置では、摘子２１を回転操作することでロック状態を解除する第１の動作と、入賞案内部材５に指を掛けて前方に引く第２の動作との２動作を経ることによって、初めて入賞案内部材を傾倒せられるようにしている。このため、ガラス枠を開けることなく不正の目的で針金を入賞案内部材５に引っ掛けたりしてもそれだけでは入賞案内部材５が開くことはなく、不正開放は殆ど実施不可能になる。
【００１５】
なお、図示しないが、摘子２１を回転操作したときにカム体２３が制動片１１をさらに大きく持ち上げるように、カム体２３の形状を設定すれば、この摘子２１を操作するだけで入賞案内部材５が開くようにすることもできる。その場合でも針金を使用し摘子２１を回転させることは困難であるので不正開放を防止できる効果がある。
【００１６】
また、図９〜図１２に示した本発明の他の実施形態は、大入賞口４の一側に設けられた摘子２１の反対側に第２の摘子３０を設け、摘子２１と摘子３０とを順番に回転操作することでロック状態が解除され入賞案内部材が傾倒されるようにしたものである。即ち、図１１に示したように、第１に摘子２１を回転操作することによって制動片１１を途中まで持ち上げられ、その後、図１２に示したように、摘子３０を回転操作することでロック状態が解除され入賞案内部材５が開くようにしている。この場合、摘子３０の軸部３１に固着されたカム体３２の外周面には係合溝３３が形成されており、入賞案内部材５が起立状態であるときは前記鍔部７ｂが該係合溝３３中に嵌合していることから摘子３０を回転操作できず、入賞案内部材５が半開きとなり鍔部７ｂが係合溝３３から離脱したら初めて摘子３０を回転操作できて入賞案内部材５を開けられるように構成している。このため一方の摘子のみを操作しても入賞案内部材５を開けることはできず、不正目的で入賞案内部材５を開けることは殆ど不可能になり、これによって不正をより完全に防止し得るようになる。
【００１７】
また、図１３に示した実施形態は、ロック状態にあるとき前記鍔部７ｂの下縁が摘子３０の軸部３１より下に位置するように設定することで、摘子２１を回転操作することなく摘子３０を回転操作しても鍔部７ｂの側面にカム体３２が当たるだけで入賞案内部材５が開けられないようにしたもので、この場合も第１に摘子２１を回転操作すれば該鍔部７ｂの下縁を破断線ｂにて示したように鍔部７ｂが上動することで、第２に摘子３０を回転操作すればカム体３２が鍔部７ｂを押し上げ入賞案内部材５を開け得るようになる。このようにカム体３２と鍔部７ｂとの相対的関係位置を設定することによっても１動作にては入賞案内部材５が開けられないように設定できる。
【００１８】
さらに、図１４に示した実施形態は、押し回しすることによって入賞案内部材５を開けられるようにする摘子４０を遊技盤上に突設してなるものである。即ち、摘子４０は軸部４１に外嵌されたコイルバネ４２によって外向きに付勢され、カム体４３には取付板３の裏面に形成されたストッパ４４に係合するストッパ４５が形成され、初期状態では該ストッパ４５がストッパ４４に係合することで該摘子４０は回転不能に支持され、図１５に示したように、第１の操作として該摘子４０を押すことでこのストッパ４４，４５の係合が外れ、該摘子４０を回転できるようにしたもので、これによりカム体４３が回転し制動片１１が持ち上げられるようにしている。このように１つの摘子４０によっても入賞案内部材５を開放するまでに２動作を必要とするように設定することができる。
なお、以上例示したような本発明の実施形態は任意に組み合わせられ所期の目的に応じた装置を設計し得る。
【００１９】
また、この実施形態では制動片をソレノイドによって作動させるものについて説明したが、ソレノイドを使用する代わりに、他の入賞口に入賞した遊技球の球重量によって動かされる連桿により制動片が動くように構成してもよい。またこの実施形態では制動片が垂直に進退動する形態のものを説明したが、制動片は水平動、あるいは回転動するものであってもよく、また、制動片が２つ以上の伝動部材から構成されたものであってもよく、かつまた、その伝動部材は進退動、あるいは回転動するものであってよい。また、ロック機構についても制動片によるもののほか、ロック用部材を付加した構造であってもよい。また、摘子の回転操作がこの実施形態ではカム体を介して制動片に作用するようにしたが、その伝達系統は上記複数の伝動部材のいずれであってもよい。
【００２０】
さらにこの実施形態は、大入賞口について説明したが、遊技盤面上で一対の入賞案内部材を旋回させることにより遊技球を誘導する全ての可変入賞装置（飛行機，あるいはチューリップと称されるようなもの）に適用することも可能である。
また、摘子の形態についても図示したものに限らず異形の装飾体、或いは、球案内部材を兼ねるようにしたり、或いは、上記普通入賞口１５を摘子に見立てて回転し得るようにし、これらの回転操作によりロック機構のロック状態が解除されるようにしてもよい。或いは、入賞案内部材の回転軸６，６を支持する軸受部材等に何らかの摘子を設けることも可能である。
【００２１】
【発明の効果】
以上説明したように本発明は、略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、回転操作することにより該ロック機構のロック状態を解除し得る摘子を遊技盤上に突設してなるので、針金等を使用しての不正な行為がより完全に防止し得るようにする有益な効果がある。
【図面の簡単な説明】
【図１】本発明に係るパチンコ機の実施形態を示した正面図。
【図２】本発明に係る遊技球入賞装置の実施形態を示した外観斜視図。
【図３】図２の遊技球入賞装置の縦断面図。
【図４】図２の遊技球入賞装置の要部の斜視図。
【図５】図２の遊技球入賞装置の要部の分解斜視図。
【図６】図５の分解斜視図の視点を変えて見た斜視図。
【図７】図３の作動状態図。
【図８】図３の作動状態図。
【図９】本発明に係る遊技球入賞装置の他の実施形態を示した斜視図。
【図１０】図９の遊技球入賞装置の要部の斜視図。
【図１１】図１０の作動状態図。
【図１２】図１０の作動状態図。
【図１３】本発明に係る遊技球入賞装置の他の実施形態を示した要部の正面図。
【図１４】本発明に係る遊技球入賞装置の他の実施形態を示した縦断面図。
【図１５】図１３の作動状態図。
【符号の説明】
１            遊技球入賞装置
２            遊技盤
３            取付板
４            大入賞口
５            入賞案内部材
６            回転軸
８            係合部
９            ソレノイド
１１          制動片
１４          突起部
１６          前面ガラス板
２０          透孔
２１          摘子
２３          カム体
３０          摘子
３２          カム体
４０          摘子
４３          カム体
【図１】
0004486731.tif 000002
【図２】
0004486731.tif 000003
【図３】
0004486731.tif 000004
【図４】
0004486731.tif 000005
【図５】
0004486731.tif 000006
【図６】
0004486731.tif 000007
【図７】
0004486731.tif 000008
【図８】
0004486731.tif 000009
【図９】
0004486731.tif 000010
【図１０】
0004486731.tif 000011
【図１１】
0004486731.tif 000012
【図１２】
0004486731.tif 000013
【図１３】
0004486731.tif 000014
【図１４】
0004486731.tif 000015
【図１５】
0004486731.tif 000016